(57)【要約】【課題】加熱室外の空気が加熱室内に流れ込むことを抑制することで、加熱効率の向上を図る。【解決手段】被装着物Ｘに被覆されたラベルＬに高温の気体を吹き付けて該ラベルを被装着物Ｘに装着するためのラベル加熱装置１００であって、被装着物Ｘを搬入又は搬出するための開口３１ａ、ｂが少なくとも１つ形成されるとともに、高温の気体が導かれる通風口３１ｈを有する加熱室３０と、通風口３１ｈを挟み込むように開口側と開口とは反対側の室内側とに設けられ、通風口３１ｈを通過した高温の気体を加熱室３０に配置された被装着物Ｘに導く一対の案内板４ａ、ｂとを備え、一対の案内板４ａ、ｂそれぞれの先端部４２の間に形成されて高温の気体を吐出する吐出口４ｈの向きが、通風口３ｈの向きよりも室内側を向いているようにした。【選択図】図６
2019123512.tif 000002
【特許請求の範囲】
【請求項１】
被装着物に被覆されたラベルに高温の気体を吹き付けて該ラベルを前記被装着物に装着するためのラベル加熱装置であって、
前記被装着物を搬入又は搬出するための開口が少なくとも１つ形成されるとともに、高温の気体が導かれる通風口を有する加熱室と、
前記通風口を挟み込むように前記開口側と前記開口とは反対側の室内側とに設けられ、前記通風口を通過した高温の気体を前記加熱室に配置された前記被装着物に導く一対の案内板とを備え、
前記一対の案内板それぞれの先端部の間に形成されて高温の気体を吐出する吐出口の向きが、前記通風口の向きよりも前記室内側を向いているラベル加熱装置。
【請求項２】
前記一対の案内板のうちの前記開口側に位置する第１案内板の先端部が、前記一対の案内板のうちの前記室内側に位置する第２案内板の先端部のさらに先方に位置している請求項１記載のラベル加熱装置。
【請求項３】
前記第１案内板の前記先端部から基端部までの長さが、前記第２案内板の前記先端部から基端部までの長さよりも長い請求項２記載のラベル加熱装置。
【請求項４】
前記第１案内板と前記通風口とのなす角度が、前記第２案内板と前記通風口とのなす角度よりも大きい請求項２又は３記載のラベル加熱装置。
【請求項５】
前記吐出口が、前記被装着物の高さ方向に沿って延びるスリット状をなし、
前記一対の案内板が、前記スリット状の吐出口に沿って延びる長尺状のものである請求項１乃至４のうち何れか一項に記載のラベル加熱装置。
【請求項６】
前記加熱室が、対向する位置に前記被装着物を搬入するための開口及び前記被装着物を搬出するための開口が形成されており、搬入側の前記開口を挟み込むように一対の前記通風口が形成されるとともに、搬出側の前記開口を挟み込むように一対の前記通風口が形成されたものであり、
前記一対の案内板が、前記４つの通風口それぞれに対応して設けられている請求項１乃至５のうち何れか一項に記載のラベル加熱装置。
【発明の詳細な説明】
【技術分野】
【０００１】
本発明は、シュリンクラベル等のラベルを加熱してボトル等の被装着物に装着するためのラベル加熱装置に関するものである。
【背景技術】
【０００２】
この種のラベル加熱装置としては、特許文献１に示すように、被装着物が搬入される加熱室の壁面に複数のスリットノズルが設けられており、これらのスリットノズルから吐出した熱風によってラベルを熱収縮させて被装着物に装着するように構成されたものがある。
【０００３】
より詳細に説明すると、加熱室には被装着物を搬入出するための搬入口及び搬出口が互いに対向して設けられており、スリットノズルは被装着物を四方から囲むように、言い換えれば搬入口の両側それぞれと搬出口の両側それぞれとに一対ずつ設けられている。
【０００４】
しかしながら、上述した構成では、スリットノズルから熱風を吐出する際に、搬入口の両側に設けられたスリットノズルよりもさらに搬入口側に存在する空気や、搬出口の両側に設けられたスリットノズルよりもさらに搬出口側に存在する空気が熱風に巻き込まれてしまう。その結果、搬入口や搬出口を介して加熱室外の空気が加熱室内に流れ込み、加熱効率の低下を招来する。
【先行技術文献】
【特許文献】
【０００５】
【特許文献１】特許第５９９０７２３号公報
【発明の概要】
【発明が解決しようとする課題】
【０００６】
そこで本発明は、上記問題点を解決すべくなされたものであり、加熱室外の空気が加熱室内に流れ込むことを抑制することで、従来よりも加熱効率の良いラベル加熱装置を提供することをその主たる課題とするものである。
【課題を解決するための手段】
【０００７】
すなわち本発明に係るラベル加熱装置は、被装着物に被覆されたラベルに高温の気体を吹き付けて該ラベルを前記被装着物に装着するためのものであって、前記被装着物を搬入又は搬出するための開口が少なくとも１つ形成されるとともに、高温の気体が導かれる通風口を有する加熱室と、前記通風口を挟み込むように前記開口側と前記開口とは反対側の室内側とに設けられ、前記通風口を通過した高温の気体を前記加熱室に配置された前記被装着物に導く一対の案内板とを備え、前記一対の案内板それぞれの先端部の間に形成されて高温の気体を吐出する吐出口の向きが、前記通風口の向きよりも前記室内側を向いていることを特徴とするものである。
【０００８】
このように構成されたラベル加熱装置であれば、一対の案内板それぞれの先端部の間に形成された吐出口が通風口よりも室内側を向いているので、通風口を通過した高温の気体は、案内板によって流れ方向を室内側に変えながら吐出口から吐出される。これにより、開口側の案内板よりもさらに開口側に存在する空気の巻き込みが抑制され、その結果、加熱室外の空気が開口を介して加熱室内に流れ込むことを抑制することができ、ラベルを従来に比べて効率良く加熱することが可能となる。
【０００９】
吐出口が通風口よりも室内側を向くようにするためには、前記一対の案内板のうちの前記開口側に位置する第１案内板の先端部が、前記一対の案内板のうちの前記室内側に位置する第２案内板の先端部のさらに先方に位置している構成が挙げられる。
このような構成であれば、通風口を通過した高温の気体が、特に第１案内板の先端部で大きく流れ方向が変わり、搬送方向に沿うように流れる。これにより、通風口を通過して吐出口から吐出される高温の空気の流れを開口から離れるように反らすことができるので、開口側の案内板よりもさらに開口側に存在する空気の巻き込みをより確実に抑制することができる。
【００１０】
より具体的な実施態様としては、前記第１案内板の前記先端部から基端部までの長さが、前記第２案内板の前記先端部から基端部までの長さよりも長い構成や、前記第１案内板と前記通風口とのなす角度が、前記一対の案内板のうち前記室内側に位置する第２案内板と前記通風口とのなす角度よりも大きい構成などを挙げることができる。
【００１１】
前記吐出口が、前記被装着物の高さ方向に沿って延びるスリット状をなし、前記一対の案内板が、前記スリット状の吐出口に沿って延びる長尺状のものであることが好ましい。
このような構成であれば、被装着物を高さ方向の全体に亘って加熱しつつ、加熱室外の空気が開口を介して加熱室内に流れ込むことを抑制することができる。
【００１２】
より具体的な実施態様としては、前記加熱室が、対向する位置に前記被装着物を搬入するための開口及び前記被装着物を搬出するための開口が形成されており、搬入側の前記開口を挟み込むように一対の前記通風口が形成されるとともに、搬出側の前記開口を挟み込むように一対の前記通風口が形成されたものであり、前記一対の案内板が、前記４つの通風口それぞれに対応して設けられている構成が挙げられる。
このような構成であれば、被装着物を搬入出するための開口それぞれにおいて、加熱室外の空気が加熱室内に流れ込むことを抑制することができる。
【発明の効果】
【００１３】
このように構成した本発明によれば、加熱室外の空気が加熱室内に流れ込むことを抑制することができ、加熱効率の向上を図れる。
【図面の簡単な説明】
【００１４】
【図１】本実施形態のラベル加熱装置の全体構成を示す模式図。
【図２】本実施形態のラベル加熱装置の内部構成を示す模式図。
【図３】本実施形態の予熱室の構成を示す模式図。
【図４】本実施形態の加熱室の構成を示す模式図。
【図５】本実施形態の案内板の構成を示す模式図。
【図６】本実施形態の通風口と吐出口との向きを説明するための模式図。
【図７】その他の実施形態における案内板の構成を示す模式図。
【発明を実施するための形態】
【００１５】
以下に、本発明に係るラベル加熱装置の一実施形態について、図面を参照して説明する。
【００１６】
＜装置構成＞
本実施形態のラベル加熱装置１００は、被装着物Ｘに被覆された状態のシュリンクラベルＬ（以下、単にラベルＬという）を加熱して、該ラベルＬを被装着物Ｘに装着するために用いられるものである。なお、本実施形態のラベルＬは、例えば樹脂製などの熱収縮性を有するフィルムである。また、被装着物Ｘは、例えば樹脂製、ガラス製、或いは金属製の容器などであり、ここではペットボトルである。
【００１７】
具体的にラベル加熱装置１００は、図１に示すように、ラベルＬが被覆された被装着物Ｘを搬送する搬送機構１０と、ラベルＬを予備加熱する予熱室２０と、予備加熱されたラベルＬを加熱して被装着物Ｘに装着する加熱室３０とを具備している。
【００１８】
搬送機構１０は、被装着物Ｘが載置される例えば無端ベルトなどの搬送ベルト１１と、搬送ベルト１１を動かすためのモータなどの駆動部１２とを備えたものであり、ここでは被装着物Ｘを直線状に搬送して予熱室２０と加熱室３０とをこの順に通過させるように設けられている。
【００１９】
予熱室２０は、図２に示すように、内部が予熱空間２Ｓとして形成された第１筐体２１と、ラベルＬを加熱するための高温の気体を生成する予熱室用加熱機構２２とを備えている。
【００２０】
第１筐体２１は、被装着物Ｘを搬入出するための開口が側壁に形成されたものである。ここでは、互いに対向する側壁それぞれに開口が形成されており、前壁２１１に形成された開口が搬入口２１ａであり、後壁２１２に形成された開口が搬出口２１ｂである。
【００２１】
予熱室用加熱機構２２は、例えば圧送機構（不図示）により供給された空気を高温に加熱するものであり、具体的には例えばフィン付きカートリッジヒータ等のヒータ２２１を備えたものである。より具体的に説明すると、図３に示すように、第１筐体２１内における予熱空間２Ｓの上方には圧送された空気が供給される供給空間２Ｐが設けられており、この供給空間２Ｐに複数本のヒータ２２１が例えば千鳥状に配置されている。
【００２２】
この予熱室用加熱機構２２により加熱された高温の空気は、第１筐体２１の側壁に形成された送風孔２１ｈから予熱空間２Ｓに送り込まれる。より詳細に説明すると、第１筐体２１の側壁のうち搬送方向とは直交する方向に対面する左壁２１３及び右壁２１４それぞれの内壁面には、例えばパンチングメタルが設けられている。これにより、左壁２１３及び右壁２１４の内壁面には多数の送風孔２１ｈが形成されており、これらの送風孔２１ｈから高温の空気が吹き出される。
【００２３】
加熱室３０は、図２に示すように、内部が加熱空間３Ｓとして形成された第２筐体３１と、ラベルＬをさらに加熱するための高温の気体を生成する加熱室用加熱機構３２とを備えている。
【００２４】
第２筐体３１は、被装着物Ｘを搬入出するための開口が側壁に形成されたものであり、ここでは第１筐体２１と隣接して配置されている。つまり、第２筐体３１の前壁３１１は、第１筐体２１の後壁２１２に対面しており、この前壁３１１に形成された開口が搬入口３１ａである。また、第２筐体３１の前壁３１１に対向する後壁３１２に形成された開口が搬出口３１ｂである。
【００２５】
加熱室用加熱機構３２は、例えば圧送機構（不図示）により供給された空気を高温に加熱するものであり、具体的には例えばフィン付きカートリッジヒータ等のヒータ３２１を備えたものである。より具体的に説明すると、図４に示すように、第２筐体３１内における加熱空間３Ｓの上方には圧送された空気が供給される供給空間３Ｐが設けられており、この供給空間３Ｐに複数本のヒータ３２１が例えば千鳥状に配置されている。
【００２６】
この加熱室用加熱機構３２により加熱された高温の空気は、第２筐体３１の側壁に形成された通風口３１ｈから加熱空間３Ｓに送り込まれる。より詳細に説明すると、第２筐体３１の側壁のうち搬送方向とは直交する方向に対面する左壁３１３及び右壁３１４それぞれの内壁面には、複数の通風口３１ｈが形成されており、これらの通風口３１ｈから高温の空気が吹き出される。各通風口３１ｈは、被装着物Ｘの高さ方向に沿って延びるスリット状をなし、ここでは左壁３１３及び右壁３１４それぞれの内壁面における下端部から中央部の上方に亘って形成されている。
【００２７】
本実施形態では、図５に示すように、左壁３１３及び右壁３１４の内壁面が、加熱室３０内に搬入された被処理物を取り囲むように設けられており、左壁３１３及び右壁３１４それぞれに複数の通風口３１ｈが形成されている。具体的に左壁３１３及び右壁３１４の内壁面は、搬送方向と平行な第１要素３３１と、第１要素３３１の搬入口側端部から搬入口３１ａ側に向かって屈曲した第２要素３３２と、第１要素３３１の搬出口側端部から搬出口３１ｂ側に向かって屈曲した第３要素３３３とからなり、各要素３３１、３３２、３３３それぞれに通風口３１ｈが形成されている。なお、第１要素３３１には搬入口３１ａ側及び搬出口３１ｂ側に１つずつ通風口３１ｈが形成されており、第２要素３３２及び第３要素３３３にはそれぞれ１つの通風口３１ｈが形成されているが、通風口３１ｈの数はこれに限られるものではない。
【００２８】
さらにラベル加熱装置１００は、加熱室３０の内壁、すなわち第２筐体３１の内壁において通風口３１ｈを挟み込むように設けられて、通風口３１ｈから吹き出される高温の気体を被装着物Ｘに導く一対の案内板４を複数組み備えている。
【００２９】
これらの案内板４は、搬送方向に沿って通風口３１ｈの両側、すなわち搬入側と搬出側とにそれぞれ設けられており、ここではスリット状の通風口３１ｈに沿って延びる長尺状の板状部材である。
【００３０】
具体的に一対の案内板４は、図６に示すように、基端部４１から先端部４２に向かうに連れて徐々に近づくように延びて所謂スリットノズルを構成しており、基端部４１に設けられたフランジ部４３が第２筐体３１の内壁に例えばネジ等により固定されている。
【００３１】
然して、一対の案内板４それぞれの先端部４２の間には、通風口３１ｈを通過した高温の空気を吐出する吐出口４ｈが形成されており、この吐出口４ｈの向きが、通風口３１ｈの向きよりも室内側を向くように形成されている。
【００３２】
より詳細に説明すべく、まずは左壁３１３及び右壁３１４の第２要素３３２に設けられた通風口３１ｈ（図６に示す通風口３１ｈ）に着目すると、この通風口３１ｈの搬入口３１ａ側（開口側）及び搬入口３１ａとは反対側の室内側それぞれに一対の案内板４が設けられている。以下では、説明の便宜上、搬入口３１ａ側の案内板４を第１案内板４ａといい、室内側の案内板４を第２案内板４ｂという。
【００３３】
第１案内板４ａ及び第２案内板４ｂは、通風口３１ｈの幅方向中心を通過するとともに通風口３１ｈと直交する仮想線Ｚに対して非対称な形状である。具体的には第１案内板４ａの先端部４２が、第２案内板４ｂの先端部４２よりもさらに先方に位置している。ここでは第１案内板４ａの基端部４１から先端部４２までの長さが、第２案内板４ｂの基端部４１から先端部４２までの長さよりも長く、第１案内板４ａの先端部４２が、仮想線Ｚよりも第２案内板４ｂ側に位置している。なお、本実施形態では第１案内板４ａと通風口３１ｈとのなす角度θ１と、第２案内板４ｂと通風口３１ｈとのなす角度θ２とが互いに略等しい。
【００３４】
本実施形態では、左壁３１３及び右壁３１４の第３要素３３３に設けられた通風口３１ｈにおいても同様に、この通風口３１ｈの搬出口３１ｂ側（開口側）の案内板４を第１案内板４ａ、室内側の案内板４を第２案内板４ｂとすると、第１案内板４ａの基端部４１から先端部４２までの長さが、第２案内板４ｂの基端部４１から先端部４２までの長さよりも長く、第１案内板４ａの先端部４２は、通風口３１ｈの幅方向中心を通過するとともに通風口３１ｈと直交する仮想線よりも第２案内板４ｂ側に位置している。
【００３５】
なお、左壁３１３及び右壁３１４の第１要素３３１に設けられた通風口３１ｈにおいては、図５に示すように、一対の案内板４を通風口３１ｈの幅方向中心を通過するとともに通風口３１ｈと直交する仮想線に対して一対の案内板４を対称な形状としても良いし、上述した第２要素３３２や第３要素３３３と同様に一対の案内板４を仮想線に対して非対称な形状としても良い。
【００３６】
＜本実施形態の効果＞
このように構成した本実施形態のラベル加熱装置１００によれば、第１案内板４ａ及び第２案内板４ｂそれぞれの先端部４２の間に形成された吐出口４ｈが通風口３１ｈよりも室内側を向いているので、通風口３１ｈを通過した高温の空気は、第１案内板４ａ及び第２案内板４ｂによって流れ方向を室内側に変えながら吐出口４ｈから吐出される。より詳細には、高温の空気が、特に第１案内板４ａの先端部４２によって大きく流れ方向が変わり、搬入口３１ａや搬出口３１ｂから離れて搬送方向に沿って流れる。
その結果、搬入口３１ａ側の第１案内板４ａよりもさらに搬入側に存在する空気、或いは、搬出口３１ｂ側の第１案内板４ａよりもさらに搬出口３１ｂ側の空気の巻き込みが抑制され、加熱室３０外の空気が搬入口３１ａや搬出口３１ｂを介して加熱室３０内に流れ込むことを抑制することができ、ラベルＬを効率良く加熱することが可能となる。
【００３７】
＜その他の変形実施形態＞
なお、本発明は前記実施形態に限られるものではない。
【００３８】
例えば、前記実施形態では、第１案内板４ａの先端部４２から基端部４１までの長さが、第２案内板４ｂの先端部４２から基端部４１までの長さよりも長かったが、図７に示すように、第１案内板４ａと通風口３１ｈとのなす角度θ１が、第２案内板４ｂと通風口３１ｈとのなす角度θ２よりも大きくなるように構成されていても良い。この場合、第１案内板４ａの先端部４２から基端部４１までの長さは、必ずしも第２案内板４ｂの先端部４２から基端部４１までの長さよりも長くする必要はない。
【００３９】
また、通風口３１ｈは、前記実施形態ではスリット状であったが、例えば円形状、矩形状、多角形状であっても良く、この場合、被装着物Ｘの高さ方向に沿って複数の通風口３１ｈが設けられていても良い。
【００４０】
さらに、前記実施形態の加熱室３０は、搬入口３１ａと搬出口３１ｂとが別々の開口として形成されていたが、搬入口３１ａ及び搬出口３１ｂとが共通の開口として形成されていても良い。
【００４１】
さらに加えて、加熱室３０は、加熱空間を備えたものであれば良く、例えば通風口３１ｈが形成された一対の側壁（前記実施形態でいう左壁３１３及び右壁３１４）を備えていれば、必ずしも前壁３１１や後壁３１２を備えている必要はない。なお、予熱室２０についても同様である。
【００４２】
そのうえ、予熱室用加熱機構２２や加熱室用加熱機構３２は、前記実施形態では空気を加熱するものであったが、空気以外のガスを加熱するものであっても良いし、蒸気を加熱するものであっても良い。
【００４３】
その他、本発明は前記実施形態に限られず、その趣旨を逸脱しない範囲で種々の変形が可能であるのは言うまでもない。
【符号の説明】
【００４４】
１００・・・ラベル加熱装置
１０  ・・・搬送機構
２０  ・・・予熱室
３０  ・・・加熱室
３１ａ・・・搬入口
３１ｂ・・・搬出口
３１ｈ・・・通風口
４    ・・・案内板
４１  ・・・基端部
４２  ・・・先端部
４ｈ  ・・・吐出口
【図１】
2019123512.tif 000003
【図２】
2019123512.tif 000004
【図３】
2019123512.tif 000005
【図４】
2019123512.tif 000006
【図５】
2019123512.tif 000007
【図６】
2019123512.tif 000008
【図７】
2019123512.tif 000009
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
被装着物に被覆されたラベルに高温の気体を吹き付けて該ラベルを前記被装着物に装着するためのラベル加熱装置であって、
前記被装着物を搬入又は搬出するための開口が少なくとも１つ形成されるとともに、高温の気体が導かれる通風口を有する加熱室と、
前記通風口を挟み込むように前記開口側と前記開口とは反対側の室内側とに設けられ、前記通風口を通過した高温の気体を前記加熱室に配置された前記被装着物に導く一対の案内板とを備え、
前記一対の案内板が、基端部から先端部に向かうに連れて近づくように延びるとともに、前記開口側に位置する第１案内板が、前記室内側に位置する第２案内板の基端部から先端部に向かう方向において、当該第２案内板の先端部のさらに先方に位置しており、前記第１案内板及び前記第２案内板それぞれの前記先端部の間に形成されて高温の気体を吐出する吐出口の向きが、前記通風口の向きよりも前記室内側を向いているラベル加熱装置。
【請求項２】
前記第１案内板の前記先端部から基端部までの長さが、前記第２案内板の前記先端部から基端部までの長さよりも長い請求項１記載のラベル加熱装置。
【請求項３】
前記第１案内板と前記通風口とのなす角度が、前記第２案内板と前記通風口とのなす角度よりも大きい請求項１又は２記載のラベル加熱装置。
【請求項４】
前記吐出口が、前記被装着物の高さ方向に沿って延びるスリット状をなし、
前記一対の案内板が、前記スリット状の吐出口に沿って延びる長尺状のものである請求項１乃至３のうち何れか一項に記載のラベル加熱装置。
【請求項５】
前記加熱室が、対向する位置に前記被装着物を搬入するための開口及び前記被装着物を搬出するための開口が形成されており、搬入側の前記開口を挟み込むように一対の前記通風口が形成されるとともに、搬出側の前記開口を挟み込むように一対の前記通風口が形成されたものであり、
前記一対の案内板が、前記４つの通風口それぞれに対応して設けられている請求項１乃至４のうち何れか一項に記載のラベル加熱装置。